【手続補正書】
【提出日】平成16年8月30日(2004.8.30)
【手続補正１】
【補正対象書類名】明細書
【補正対象項目名】全文
【補正方法】変更
【補正の内容】
【書類名】            明細書
【発明の名称】      竿後方側支持具
【特許請求の範囲】
【請求項１】
竿を把持するゲート部は、上方部に把持用部分としての湾曲内周面、下方部に動作を制御される制動用部分、そして、これらの中間となる部位に軸支される軸支用部分を有し、このゲート部の湾曲内周面が対向してシャシ部に軸支されたことにより、ゲート部の上端部の開閉動作が可能となり、そのゲート部が閉鎖状態のとき湾曲内周面で竿の後方側を把持し、そのゲート部が開口状態のとき竿の後方側を解放する機能とするために、それら制動用部分の相互間に間隔を制御する開閉制御部が介在し、この開閉制御部にゲート部の開閉を操作するためのレバー部を設けた竿後方側支持具において、そのゲート部が外力で拘束された閉鎖状態でも、レバー部の開口操作に連動した開閉制御部が開口条件であり、その拘束が解かれたとき自動的に開口状態となる機能とするために、その制動用部分と開閉制御部との間に遊び用空間を設け、そのゲート部とシャシ部との間にゲート部の開口動作に加勢する戻し用ばねを設け、そして、その開閉制御部とシャシ部との間に閉鎖動作と開口動作に加勢するスナップ用ばねを設けたことを特徴とする竿後方側支持具。
【発明の詳細な説明】
【０００１】
【発明の属する技術分野】
この発明は、釣り竿、たも網の柄、そして、杓の柄などのような棒状体を受け止める保持具における竿後方側支持具に関する。
【０００２】
この明細書などにおける方向を示す表現は、重力で引かれる方向の側を下方側、この下方側の反対側を上方側、前方側支持部分が在る側を前方側、この前方側に対して竿後方側支持具が在る側を後方側、これらを前提として上方側から視て左方側を左方側、および、右方側を右方側と称し、あるいは、これに準じた称し方をする。
【０００３】
この明細書などにおける竿後方側支持具の状態を示す表現は、ゲート部が竿を把持している状態、すなわち、ゲート部の上端部の相互間隔が狭くなっている状態のことを閉鎖状態とも称し、また、ゲート部の上端部の相互間隔が開いている状態、すなわち、ゲート部が竿を把持することができない状態のことを開口状態とも称することとする。
【０００４】この明細書などにおける竿後方側支持具の各部の動作を示す表現は、ゲート部が開口状態になろうとするときの動きを開口動作と称し、また、閉鎖状態になろうとするときの動きを閉鎖動作と称し、なおまた、開口動作と閉鎖動作を指して開閉動作とも称し、あるいは、これに準じた称し方をする。
【０００５】
【従来の技術】従来の竿保持具における竿後方側支持具の構造の一例は、実開平６−６０３８２号公報の釣り竿固定具があり、これを図２６と図２７に示している。なお、この従来の引用例を従来例とも称することとする。
【０００６】従来例の図２６に示す釣り竿固定具（９３）が竿を保持した形態は、この発明の実施例を示している図２とほぼ同様である。
【０００７】竿固定具（９３）がこのような形態で竿を特定の位置と方向に保持できる理由は、フレーム（９１）が基礎部としての重量物体などに固定されていることを前提条件とし、そのフレーム（９１）の前方側に設けた竿受け（９２）で竿の前方側の下方側面を支え、これを支点としてその竿の後方側が上昇しようとする動きを、そのフレーム（９１）の後方側に設けた竿固定具（９３）で制しているからである。
【０００８】竿を固定する竿固定具（９３）の構造は、竿固定プレート（９５）が、竿固定具（９３）のシャシの上方側部の左方側と右方側に軸支され、このうちの左方側の竿固定プレート（９５）が左方側の連結プレート（９６）と左方側の上部連結プレート（９４′）を介して開閉レバー（９４）に連結され、また、右方側の竿固定プレート（９５）が右方側の連結プレート（９６）を介して開閉レバー（９４）に連結され、そして、これらが連動となる形態で竿固定具（９３）のシャシ部に支持されている。
【０００９】すなわち、開閉レバー（９４）が上方側に引き上げられたとき、竿固定プレート（９５）が開口状態となり、また、開閉レバー（９４）が下方側に押し下げられとき、竿固定プレート（９５）が閉鎖状態となるように連動する構造となっている。
【発明が解決しようとする課題】
【００１０】このような従来例の竿固定具（９３）において、使用者が問題としている事象を次に列挙する。
【００１１】課題１．従来例の竿固定具（９３）は、竿を保持した状態から解放の状態にするために、その竿の下方側に位置している開閉レバー（９４）を手動で上方側に移行させることにより竿固定プレート（９５）の上方側部を開口する。
【００１２】その手動による開口操作とは、人差し指などを開閉レバー（９４）の下方側に掛け、この開閉レバー（９４）をその人差し指などで上方側に引き上げる操作である。
【００１３】その開口操作を片手で行う場合は、この発明の実施例を示す図１のような手法で、開閉レバー（９４）の下方側に人差し指を掛け、この人差し指に対向する親指を右方側の竿固定プレート（９５）や左方側の竿固定プレート（９５）の上方側に掛け、これらの手指で握り締めるような力だけで操作することが難しいので手勝手が悪い、という問題がある。
【００１４】そして、図１のような手法で行おうとした場合は、親指が竿固定プレート（９５）の開口動作の邪魔になる。
【００１５】ゆえに、その親指をそれら竿固定プレート（９５）の上方側に掛けない手法として、人差し指などの手指、上肢、そして、胴体が一連となって出す力による開口操作となる。したがって、自ずと操作が遅鈍になり、また操作性も悪い、という問題がある。
【００１６】課題２．従来例の竿固定具（９３）を支える付帯部分は、フレーム（９１）から基礎部としての重量物体までが、上記の課題１．で記述した開閉レバー（９４）を操作する力に耐えて安定に支えることができる堅固なものでなければならない。ゆえに、必然的に重厚な構造となるので、この竿保持具全体は軽便ではない、という問題がある。
【００１７】課題３．従来例の竿固定具（９３）は、開閉レバー（９４）が可動域の下方端に在る状態、すなわち、竿固定プレート（９５）が竿を把持した状態において、この状態を自己保持する機能がないので外部からの急激な衝撃や振動を受けると、その把持した状態を維持できない、という問題がある。
【００１８】課題４．従来例の竿固定具（９３）は、竿固定プレート（９５）が不完全な閉鎖状態あるいは不完全な開口状態とならないための防止機能を有していない、すなわち、開閉レバー（９４）が可動域の中間的な位置などに停止する可能性がある。このために、竿を支持することが不安定、あるいは、閉鎖状態を維持できないことがある、という問題がある。
【００１９】課題５．従来例の竿固定具（９３）は、開閉レバー（９４）を開口操作あるいは閉鎖操作したとき、これらの開閉動作が確実であったことをカチッというクリックの音響的表示、および、振動的表示を操作した手に伝える表示が乏しい、という問題がある。
【００２０】この発明は、上記の課題１．から課題５．までの問題を解決することを目的としている。
【００２１】
【課題を解決するための手段】上記の課題１．から課題５．までを解決するための手段を考察するにあたり、まず、竿を取り扱う使用者が竿後方側支持具を使用する理由を、次のように確認する。
【００２２】使用者が竿後方側支持具を使用する理由は、竿を取り扱う上での利便性や安全性などを得ることである。
【００２３】以後の記述においては、この発明の実施例を示す図１から図２５までと従来例を示す図２６と図２７を参照し、また、図の中の各部分に付けている符号を併記する。
【００２４】上記の課題１．から課題５．までを解決するための手段における基本的な要件を、次に挙げる。
【００２５】開閉操作が左手あるいは右手だけで容易に行え、使用者が開口状態から閉鎖状態に、あるいは、閉鎖状態から開口状態にスイッチしたことを実感でき、そして、閉鎖状態と開口状態の各状態を自己保持する性能が優れた竿後方側支持具とすることを目的とする。
【００２６】このような目的を達成するために、制動用部分（２５）と開閉制御部（４１）との間に、それらゲート部（２１）が外力で拘束されていることによる閉鎖状態でも、レバー部（５１）の開口操作に開閉制御部（４１）が連動し、その拘束が解かれたときに開口状態となるための遊び用空間（４５）を設け、それらゲート部（２１）とシャシ部（１２）との間にゲート部（２１）が開口する方向に加勢する戻し用ばね（６１）を設け、そして、その開閉制御部（４１）とシャシ部（１２）との間に、閉鎖状態、あるいは、開口状態に加勢するスナップ用ばね（７１）を設ける。
【００２７】
【発明の実施の形態】この発明の実施例の形態を図１から図２５までに示しているので、これらを参照しながら次に記述する。
【００２８】図１から図６までは、この発明の竿後方側支持具（１１）を竿保持具に用いた実施例の形態を示す外観図であり、竿受け部（２）の前方側部分に前方側支持部分（３）、後方側部分に竿後方側支持具（１１）、そして、中間部分に先側関節部（４）を設けている。
【００２９】その先側関節部（４）は、先側腕部（５）を介して基礎部としての重量物体などに結合されている。
【００３０】図２は、竿保持具における竿後方側支持具（１１）が竿（１）の後方側部分を支持している状態を示す外観図である。
【００３１】図３、図４、図５は、ゲート部（２１）の開口状態を示す外観図であり、図４と図５は、竿（１）を開口部から受け手部（５２）まで挿入した状態を示している。さらに、戻し用ばね（６１）とスナップ用ばね（７１）に抗して押し下げていくと、図２に示すように竿（１）の後方側部を支持した状態となる。
【００３２】図３に示す開口状態を上方から視た外観図が図６であり、この図６にＡ−Ａで示している箇所の断面図が図７である。
【００３３】図１から図２５までにおいて、ゲート部（２１）は、竿(1)を把持するための把持用部分（２４）としての湾曲内周面を有し、このゲート部（２１）の湾曲内周面が対向した形態で、これらの下方側部の適宜な位置を軸支用ピン（３１）でシャシ部（１２）に軸支されている。
【００３４】そのゲート部（２１）の軸支された位置よりも下方側部でゲート部（２１）が対向している部分は、開閉動作を制御されるための制動用部分（２５）とし、これら制動用部分（２５）の相互間に開閉制御部（４１）を介在させている。
【００３５】そのゲート部（２１）の軸支された位置よりも下方側部において、これらが対向している反対側の各に戻し用ばね（６１）のＬの字形端部を掛け止めるための部分、すなわち、戻しばね掛け止め用孔（２３）を設けている。
【００３６】その開閉制御部（４１）には、中央部の上下の方向に長くて前後の方向に貫通した案内用孔部分（４２）を設け、この案内用孔部分（４２）の上方側を貫通した案内用ピン（３２）と下方側を貫通した案内用ピン（３２）により上下方向に一定の動きができるようにシャシ部（１２）に支持されている。
【００３７】その開閉制御部（４１）の左方側面と右方側面には、制動用部分（２５）と接触する部分に適宜な段差を設け、この段差により形成された空間を遊び用空間（４５）としている。
【００３８】その開閉制御部（４１）の上方側端部には、前後の方向に張り出したレバー部（５１）を設け、また、その上方側端部に左右の方向に張り出した受け手部（５２）を設けている。
【００３９】その開閉制御部（４１）の下方側端部には、左方側と右方側にスナップ用ばね（７１）のＬの字形端部（７３）を掛け止めるための部分、すなわち、Ｌの字形端部掛け止め用孔（４４）を設けている。
【００４０】そのシャシ部（１２）は、ゲート部（２１）の下方側部、軸支用ピン（３１）、開閉制御部（４１）の下方側部、案内用ピン（３２）、戻し用ばね（６１）、そして、スナップ用ばね（７１）を支持するように包囲し、このシャシ部（１２）の前方側板部（１３）と後方側板部（１３）の適宜な位置に、これらを貫通した軸支ピン用孔（１５）と案内ピン用孔（１６）、そして、このシャシ部（１２）の左方側板部（１４）と右方側板部(１４)の適宜な位置にはスナップ用ばね（７１）の折り返し形端部（７４）を掛け止めるための部分、すなわち、折り返し形端部掛け止め用孔（１７）を設けている。
【００４１】そのシャシ部（１２）下方側部の中央には、竿受け部（２）の後方側部分と結合する手段としての雄ねじ部（１８）と、これに組み合わせた雌ねじ部（１９）を設けている。
【００４２】上記のように構成した竿後方側支持具(１１)における作用について次に記述する。
【００４３】図３と図７に示すようにゲート部（２１）が開口状態のとき、竿(１)を上方から受け手部（５２）に押し当て、そして、戻し用ばね（６１）とスナップ用ばね（７１）の弾性力に抗して押し下げると、開閉制御部（４１）は、この開閉制御部（４１）の案内用孔部分（４２）と案内用ピン（３２）およびシャシ部（１２）の前方側板部（１３）と後方側板部(１３)により傾斜しないように案内されて降下する。そして、この降下行程に伴って開閉制御部（４１）の段差部の稜角部分（４３）が、ゲート部（２１）の制動用部分（２５）の両者間を押し開いて行くのでゲート部（２１）が閉鎖状態へと移行する。
【００４４】そして、その降下行程のほぼ中間点、すなわち、スナップ用ばね（７１）の円弧運動域において最も圧縮された位置を過ぎた位置でスナップ用ばね（７１）の弾性力が推力となって開閉制御部（４１）をさらに降下させ、この開閉制御部（４１）が降下行程の下方限に達したとき、図２と図８に示すようにゲート部（２１）が閉鎖状態となって竿（１）を把持する。
【００４５】図２と図８に示すようにゲート部（２１）が閉鎖状態、すなわち、竿（１）を把持した状態において、竿（１）の後方側が上昇しようとする力でゲート部（２１）を押し開けようとする力は、それら制動用部分（２５）の間に介在している開閉制御部（４１）を挟み付ける方向の力となっている。
【００４６】ゆえに、ゲート部（２１）が竿（１）を把持した状態は、閉鎖状態を自己保持した状態である。また、スナップ用ばね（７１）に残存している弾性力が、その自己保持を加勢している。
【００４７】図２と図８に示すように竿後方側支持具（１１）に支持されている竿（１）が解放状態にされるときの作用について次に記述する。
【００４８】図１に示す開口操作の例のようにゲート部（２１）の上方側に親指を掛け、レバー部（５１）の下方側に人差し指や中指を掛け、そして、これらの指でゲート部（２１）とレバー部（５１）をスナップ用ばね（７１）の弾性力に抗して握り締めるようにすることでレバー部（５１）が上方に引き上げられ、図１と図９に示すように開閉制御部（４１）も上限に達する。しかし、ゲート部（２１）の開口動作は、その開口操作をした手によって一時的に留保させられた形態となっている。
【００４９】次に、そのゲート部（２１）の開口動作を留保している手の握力を緩めれば、戻し用ばね（６１）の弾性力がゲート部（２１）を開口させるように作用し、これによるゲート部（２１）の開口に伴って竿（１）の後方側が解放されて上昇し、この上昇した竿（１）の後方側が手中に収まる。
【００５０】
【実施例】この実施例に用いている材質は、主にステンレス鋼であり、寸法の数値の単位はミリメートルである。
【００５１】この実施例は、図１から図２５までに示す形態であり、対象とした竿（１）の太さは、外径が１６から３８までである。
【００５２】ゲート部（２１）は、ステンレス鋼管の外径６、厚さ１を図１３と図１４および図７から図９までに示すようにほぼ弓形に成形し、下方側部の適宜な位置に、軸支用部分としての軸用孔（２２）と、戻し用ばね掛け止め用部分としての戻しばね掛け止め用孔（２３）を設けている。
【００５３】ゲート部（２１）の湾曲内周側の形状は、これらを図１と図９に示すように湾曲内周面を対向させ、これが閉鎖状態で竿（１）を把持した状態であっても開閉制御部（４１）の開口動作が上限まで支障なくできるように湾曲内の上下方向の空間を確保している。
【００５４】また、ゲート部（２１）の湾曲内周側の形状は、これらを図１から図９までに示すように湾曲内周面を対向させ、これが閉鎖状態で竿（１）を把持した状態であっても、それらゲート部（２１）の上端部間に竿（１）を把持することに支障がない程度の隙間を設けている。
【００５５】端末キャップ（２６）は、合成樹脂を図１８に示すように円柱状の胴体部に頭部を設けた形状に成形している。
【００５６】ゲート部（２１）の上方側端部に端末キャップ（２６）を取り付けている。
【００５７】戻し用ばね（６１）は、ばね用ステンレス綱線材の線径０．７を図２０から図２２までに示すように、巻き始め側部と巻き終わり側部を直線的形状とし、これらの中間の部分をコイル状に成形して戻し用ばねコイル部（６２）とし、そして、その巻き始め側部の端部をコイル部（６２）の遠心方向に曲げてＬの字形端部を成形している。
【００５８】開閉制御部（４１）は、ステンレス鋼材を図１５から図１７までと図７から図９までに示すように、ほぼ角柱状とし、この中央部に上下の方向に長くて前後の方向に貫通した案内用孔部分（４２）を設け、そして、上下方向の長さの中間で適宜な位置の左方側面と右方側面に下方側が細くなる段差をつけたことにより段差部の稜角部分（４３）を設けている。
【００５９】そして、開閉制御部（４１）の下方側端部の前後方向の厚さを薄くし、この薄くした箇所の左方側と右方側に、スナップ用ばね（７１）のＬの字形端部（７３）掛け止め用部分としてのスナップばねＬの字形端部掛け止め用孔（４４）を前後方向に貫通させて設けている。
【００６０】そして、開閉制御部（４１）の上方側端部には、前方側と後方側に張り出した形態のレバー部（５１）を設け、また、左上方側と右上方側に張り出した形態の受け手部（５２）を設けている。
【００６１】軸支用ピン（３１）と案内用ピン（３２）は、ステンレス鋼丸棒材の外径３．２を図１９に示しているように、胴体部の一端側に頭部を設け、他端側には軸用止め輪を止めるための止め用溝を設けている。
【００６２】スナップ用ばね（７１）は、ばね用ステンレス鋼線材の線径０．８を図２３から図２５までに示すように、巻き始め側部と巻き終わり側部を直線的形状とし、これらの中間の部分をコイル状に成形しスナップ用ばねコイル部（７２）とし、そして、その巻き始め側部の端部をスナップ用ばねコイル部（７２）の巻き軸と平行となる内側方向に曲げてＬの字形端部（７３）を成形している。そして、巻き終わり側部の端部を折り返す成形をし、次に、この折り返し部を約１．８残存させて残りの端部をスナップ用ばねコイル部（７２）の遠心方向に曲げ、これをほぼＬの字形となるように曲げて折り返し形端部（７４）を成形している。
【００６３】シャシ部（１２）は、ステンレス鋼板材の厚さ１を図１０から図１２までに示すように、横断面の形状が長円形をした管状に成形し、前方側板部（１３）と後方側板部（１３）の適宜な位置に、これらを貫通した軸支ピン用孔（１５）と案内ピン用孔（１６）、そして、このシャシ部（１２）の左方側板部（１４）と右方側板部（１４）の適宜な位置には、スナップ用ばね（７１）の折り返し形端部（７４）を掛け止める部分として折り返し形端部掛け止め用孔（１７）を設けている。
【００６４】シャシ部（１２）は、下方側端部の中央部に、下方向に張り出す形態で竿受け部（２）の後方側部と結合する手段としての雄ねじ部（１８）を設け、この雄ねじ部（１８）に雌ねじ部（１９）を設けている。
【００６５】上記の各部間の組み合わせ工程（いわゆる組み立て工程）を進める順序は、任意でもよいが、一例を挙げれば、まず、中央に位置する部品を組み合わせ、次に、その周辺の部品を組み合わせることが適当である。
【００６６】組み合わせ工程においては、組み合わせ中の便宜のためにばね類と相手部品との間の一時的な接合、および、組み合わせ後の各可動部分の滑動化を目的としてグリースを塗布している。
【００６７】この実施例の材質は主として金属を用いたが、竿後方側支持具（１１）の負荷となる竿（１）の大きさや竿後方側支持具（１１）の生産数量などに適した材質を選定するべきであり、例えば、部分的に合成樹脂を用いることも可能である。
【００６８】
【発明の効果】この発明の竿後方側支持具は、上記の課題を解決するための手段の項から実施例の項までに記述した内容により、次に列挙するような効果があった。
【００６９】効果１．この発明の竿後方側支持具は、遊び用空間、戻し用ばね、そして、スナップ用ばねを採用した。これにより、支持している竿の後方側を解放する操作は、解放直後にその竿を把持しようとする片手だけの力で敏速かつ容易に行えた。
【００７０】効果２．この発明の竿後方側支持具は、竿の後方側を解放する操作が、片手だけの弱い力でも歯切れよく確実に行えた。また、竿後方側支持具を定位置に固定するための部材の軽量化となった。
【００７１】効果３．この発明の竿後方側支持具は、スナップ用ばねが開閉制御部の可動域の上限の位置と下限の位置を保持することに加勢しているので、竿の後方側を支持した状態を維持するための耐衝撃性や耐振動性に優れている。
【００７２】効果４．この発明の竿後方側支持具は、開閉制御部が可動域の上限の位置から下限の位置までの中間の位置には停止しないように、スナップ用ばねが作用しているので、あいまいな動作現象を起こさない。
【００７３】効果５．この発明の竿後方側支持具は、開閉制御部にスナップ用ばねを作用させたことにより、開閉制御部が可動域の上限の位置と下限の位置に達したときカチッというクリック音を発し、同時にクリックによるショックが操作した手に伝わってくるので歯切れの良い好ましい操作感が得られた。
【００７４】この発明は、上記の課題１．から課題５．までに対して、上記の効果１．から効果５．までの成果があったので目的を達成した。
【図面の簡単な説明】
【図１】この発明の実施例の竿後方側支持具が支持している竿の後方側を、使用者が解放する操作をしている状態を示す外観図である。
【図２】この発明の実施例の竿後方側支持具が、竿の後方側を支持している状態を示す外観図である。
【図３】この発明の実施例の竿後方側支持具のゲート部が、開口状態となっているときを示す外観図である。
【図４】図３に示す状態に対して、竿の後方側を竿後方側支持具に把持させようとしている例１の状態を示す外観図である。
【図５】図３に示す状態に対して、竿の後方側を竿後方側支持具に把持させようとしている例２の状態を示す外観図である。
【図６】図３に示すように開閉制御部が上方側の上限に在り、ゲート部が開口状態となっている状態を上方側から視た外観図である。
【図７】図６のＡ−Ａ断面図である。ただし、戻し用ばね、開閉制御部の下方側端部、そして、スナップ用ばねは、断面図としないで外観を示している。
【図８】図７の開閉制御部が下方側の下限に在り、ゲート部が閉鎖状態となった状態を示している。
【図９】図８の閉鎖状態でゲート部が外力により拘束され、レバー部が引き上げられた状態を示している。
【図１０】シャシ部を上方側から視た外観図である。
【図１１】図１０のＢ視外観図である。
【図１２】図１０のＣ視外観図である。
【図１３】右方側のゲート部を後方側から視た外観図である。そして、左方側のゲート部を前方側から視た外観図でもある。
【図１４】図１３のＤ視外観図である。
【図１５】開閉制御部を後方側から視た外観図である。そして、前方側から視た視外観図でもある。
【図１６】図１５のＥ視外観図である。
【図１７】図１５のＦ視外観図である。
【図１８】端末キャップを円周面の鉛直方向側から視た外観図である。
【図１９】軸支用ピンを円周面の鉛直方向側から視た外観図である。そして、案内用ピンを円周面の鉛直方向側から視た外観図でもある。
【図２０】右方側の戻し用ばねを後方側から視た無負荷時の外観図である。そして、左方側の戻し用ばねを前方側から視た無負荷時の外観図でもある。
【図２１】図２０のＧ視外観図である。
【図２２】図２０のＨ視外観図である。
【図２３】右方側のスナップ用ばねを後方側から視た無負荷時の外観図である。そして、左方側のスナップ用ばねを図示していないが形状は右方側のスナップ用ばねと同じである。
【図２４】図２３のＩ視外観図である。
【図２５】図２３のＪ視外観図である。
【図２６】従来例を示す外観図である。
【図２７】図２６の構造図である。
【符号の説明】
１竿
２ 竿受け部
３ 前方側支持部分
４ 先側関節部
５ 先側腕部
１１ 竿後方側支持具
１２ シャシ部
１３ 前方側板部・後方側板部
１４ 左方側板部・右方側板部
１５ 軸支ピン用孔
１６ 案内ピン用孔
１７ 折り返し形端部掛け止め用孔
１８ 雄ねじ部
１９ 雌ねじ部
２１ ゲート部
２２ 軸用孔
２３ 戻しばね掛け止め用孔
２４ 把持用部分
２５ 制動用部分
２６ 端末キャップ
３１ 軸支用ピン
３２ 案内用ピン
４１ 開閉制御部
４２ 案内用孔部分
４３ 段差部の稜角部分
４４ スナップ用ばねＬの字形端部掛け止め用孔
４５ 遊び用空間
５１ レバー部
５２ 受け手部
６１ 戻し用ばね
６２ 戻し用ばねコイル部
７１ スナップ用ばね
７２ スナップ用ばねコイル部
７３ Ｌの字形端部
７４ 折り返し形端部
９１ フレーム
９２ 竿受け
９３ 竿固定具
９４ 開閉レバー
９４′連結プレート
９５ 竿固定プレート
９６ 連結プレート
【手続補正２】
【補正対象書類名】図面
【補正対象項目名】図６
【補正方法】変更
【補正の内容】
【図６】
1999046655.tif 000001
【手続補正３】
【補正対象書類名】図面
【補正対象項目名】図７
【補正方法】変更
【補正の内容】
【図７】
1999046655.tif 000002
【手続補正４】
【補正対象書類名】図面
【補正対象項目名】図１５
【補正方法】変更
【補正の内容】
【図１５】
1999046655.tif 000003